(57)【要約】【課題】台紙に商品を固定し吊り下げて陳列する場合の商品包装形態の一つにブリスターパックを利用したものがあるが、このブリスター部分の製造は成形型コストが大きいので、製品単価中に占める包装コストが高く少量製造には向かない。また、このブリスター部分は商品購入後は廃棄するしかないことがほとんどで、その処理には大きな手間がかかるものであった。【解決手段】対向するフラップを有する容器の該フラップを差し込み片として台紙本体に掛止させる。台紙側における掛止構造は、スリット或いは切り欠きが好ましい。【選択図】        図１
2005001751.tif 000002
【特許請求の範囲】
【請求項１】
対向するフラップを有する容器の該フラップを差し込み片として掛止させたものであることを特徴とする容器付き台紙。
【請求項２】
台紙には容器のフラップを挿通させる一対のスリットが刻設されているものである請求項１記載の容器付き台紙。
【請求項３】
台紙の両側端部には切り欠きが設けられており、容器のフラップ２枚がこれら２箇所の切り欠きに嵌るものである請求項１記載の容器付き台紙。
【発明の詳細な説明】
【０００１】
【発明の属する技術分野】
本発明は、小型容器を伴った台紙の構造に関するものである。
【０００２】
【従来の技術】
小型或いは中型の商品を、陳列棚の奥から手前に向かって突出する水平ポールに複数個吊り下げる、という商品陳列形態がある。棚板に商品を積み重ねる場合と比較すると、陳列棚正面に立った顧客にとっては商品が見やすく取り出しやすいという効果があるし、店側にとっては商品の整頓作業が特に必要ない、積み重ねないので包装体がつぶれにくい、等々の効果を有するいわゆる展示性が高い陳列方法であるとされている。
【０００３】
但しこの場合商品には吊り下げられるための、フック部或いは掛止孔等が具備されている必要がある。そして特に小型商品（例えば電池や電子機器の消耗部品或いは口紅等の小型化粧品など）においては、商品自体にフック部等が設けられることはなく、ほとんどの場合フック部等を有した台紙に商品を固定しておくのが普通である。この台紙は、商品本体がどれほど小型であっても全体のサイズを適当な大きさにできるので見た目の大きさを揃えることで整然とした陳列状態を得ることが容易であるし台紙の余白部分に顧客の目を引く宣伝記載をすることでアピール力の大きい商品としやすい。更に、商品そのものが外から見えるようにブリスタパックなどにより包装すると、より展示性の高いものとなる。
【０００４】
【発明が解決しようとする課題】
ところが、このブリスタパック部分は購入後は全く利用できず廃棄するしかない部材である。台紙は紙であるので処理しやすいが、ブリスタパック部分についてはプラスチックであるため処理に大きな手間がかかる。
【０００５】
またブリスタパックは、被包装物の形に合わせてプラスチックを成形して得られるセル（殻）の凹部にその品を挿入した上で、このセルを台紙に固定するという包装形態であるが、商品の形状ごとに成形型が必要となり、小規模製造、或いは少量多品種製造の場合、製品単価中の包装コストが非常に大きくなる。
【０００６】
【課題を解決するための手段】
そこで本発明者は上記問題に鑑み鋭意研究の結果遂に本発明を成し得たものであり、その特徴とするところは、対向するフラップを有する容器の該フラップを差し込み片として掛止させた点にある。
【０００７】
即ち本発明は、台紙（多くは吊り下げ陳列用台紙）にブリスタパックの「セル」ではなく「容器」（それ単体で容器として機能するもの）を固定し、購入後はこの「容器」を、商品を保管するための箱として使えるようにしたものであり、且つ、「容器」を「台紙」に掛止する手段として当該容器自身が有するフラップを用いたものである、と言える。
【０００８】
本発明において「容器」は「対向するフラップ」を有している。この「対向」は、同じ方向に突出していて互いに向き合うという位置関係を意味する語句であり、フラップ同士が違いに平行であることと同義ではない。例えば図６（ａ）に従って言えば（この容器は直方体であるとする）、フラップＡとフラップＢとは互いに平行な位置関係にあっても「対向していない」ものとし、フラップＡとフラップＣとは「対向している」とする。要するに、台紙を直平面と考えた場合これに対して直角に接触できるような２枚のフラップであればこれらは「互いに対向するフラップ」であるとも言える。また五角柱状の容器を示す同図（ｂ）においてフラップＤとフラップＥは平行な位置関係にはないが「対向している」ものとする。容器の全体形状については限定せず、この「対向するフラップ」を有していれば本発明を構成する部材となり得る。即ち、直方体、四角錐、四角錐台、五以上の多角柱、等々である。
【０００９】
また容器の材質についても特には限定しないが、商品それ自体を陳列状態でも視認できる、という意味では透明プラスチック製とするのが好ましい。即ち紙製容器なども本発明においては採用可能である。
【００１０】
台紙は、容器のフラップを差し込むための構造部分を有している。その一例が請求項２に示す「スリット」であり、請求項３に示す「切り欠き」である。当然これらの「スリット」又は「切り欠き」は、容器のフラップを差し込み片として差し込むことができる位置及び大きさに構成されている。なお、差し込まれたフラップは、台紙裏面側で折曲され固定されることになる。この固定方法については特に限定しないが、それぞれのフラップの個々を透明粘着テープを貼着する方法、両フラップを同時にカバーするステッカー（宣伝用貼紙）で覆う方法、などが簡便である。
【００１１】
【発明の実施の形態】
以下、本発明を図面に示す発明の実施の形態に基づいて詳細に説明する。なお図面（特に断面図）は全般的に各部材の厚さを誇張して描出している。
【００１２】
図１は本発明に係る容器付き台紙１の一例を示す分解斜視図で、図より明らかなように、容器２と台紙本体３とにより構成されるものである。
【００１３】
本例の容器２は、透明プラスチック製のブランクシートを組み立ててなる市販品であり、商品本体（図示せず）は容器２中に格納される。なお容器２は、対向（図では左右に対向）する一対のフラップ２１を有している。
【００１４】
台紙本体３は、矩形の厚紙であってその表面には、商品名や特長その他の記載がなされているが図ではそれらの描出を省略している。そして台紙本体３には、一対のスリット３１が刻設されている。各スリット３１はフラップ２１を挿通し得るだけの長さを持っており、またスリット３１同士の間隔は、容器２のフラップ２１同士の距離に合わせているので、容器２と台紙本体３とは無理なく一体化できることになる。
【００１５】
ｘ  台紙本体３を貫通しその裏面側に突出するフラップ２１は、折曲させて台紙本体３の裏面に固定される。図２（ａ）（ｂ）は固定方法の例を示す断面図で、同図（ａ）は個々のフラップ２１を透明粘着テープ４で固定する方法、同図（ｂ）はステッカー５で両方のフラップ２１、２１を覆うようにして固定する方法であるがその他の方法を採用しても勿論良い。
【００１６】
図３（ａ）（ｂ）は、スリット３１についての他の例を示すものであり、各スリット３１の外側或いは内側（図では外側）に、差し込まれ突出することとなるフラップ２１の形状に合わせた形状のフラップ収納部３２をエンボス加工によって形成したものである。台紙がエンボス加工可能な材質であれば本例の場合、台紙本体３の裏面の平坦さは概ね維持できるという効果、フラップ２１の稜線が、容器として折曲するときと、固定用差し込み片として折曲するときと同じにできるという効果、を有している。従って、例えば裏面の平滑さがより強く求められる場合、台紙本体３の厚みが大きい場合等には好適な構造である。
【００１７】
図４は本発明の他の例を示すもので、台紙本体３にスリット３１は設けられていない。その代わり、台紙本体３の両側に切り欠き３３が設けられている。容器２の固定方法は基本的にスリット３１の場合と同様であるが、差し込んだ後のフラップ２１の折曲が内側に限定される点、台紙本体３を矩形状に保とうとするとその幅が容器２の幅程度となるため幅の広いものとはしにくい点でやや劣り、フラップ差し込み作業の容易性という点で優るものである。
【００１８】
図５（ａ）（ｂ）は、容器２の構造に関する他の例を示すものであり、容器としては機能しない一対のフラップ２２を有したものである。同図（ａ）のブランクシートを組み立てた同図（ｂ）から明らかなように、本例のフラップ２２は、容器としては余剰な部分である。これを台紙本体３への差し込み片として利用するようにしても良い。同図（ｃ）は、そのようにして製作した本発明の容器付き台紙１の例の概略断面図である。なお本例のフラップ２２はその稜線部分にミシン目２３が入れられており、これに沿って引き裂くことで台紙本体３から取り外せるように構成されている。本例のブランクシートにおけるフラップ２２は、打ち抜き型によって原材シートから打ち抜く際、その残余部分（抜きカスと呼ばれる部分）に収まるため、歩留まりを悪くしたり、材料の無駄を生じさせるものではない。また既に説明してきた構造と異なり本例では、商品を容器２内に収納し完全に蓋を閉じた状態で台紙本体３への差し込み作業を行うことになるので、作業時に商品が容器から飛び出してしまうことがなく、粘着テープ等で固定したフラップは捨て去るものであるので保管箱等として使用するときフラップ部分に粘着剤などが付着したまま残ってしまうこともない。
【００１９】
【発明の効果】
以上のように本発明に係る容器付き台紙は、対向するフラップを有する容器の該フラップを差し込み片として掛止させたものであることを特徴とするものであって、以下のような効果を有する極めて高度な発明である。
【００２０】
（１）  吊り下げ式の商品を、容器として市販されているものを利用して簡単に製造できる。
（２）  ブリスター成形の必要がないので安価に製造できる。
（３）  購入後はその容器を保管その他のための箱として再利用できる。
（４）  容器に商品を入れた上でその容器のフラップを台紙本体に差し込み固定するだけであるので、商品包装作業に専用機械器具は一切不要である。
【図面の簡単な説明】
【図１】本発明に係る容器付き台紙の実施の形態の一例を示す分解斜視図である。
【図２】（ａ）（ｂ）は本発明に係る容器付き台紙におけるフラップ固定方法を示すいずれも概略断面図である。
【図３】（ａ）（ｂ）はスリット周辺の構造に関する他の例を示すものであり、（ａ）は概略斜視図、（ｂ）は概略断面図である。
【図４】本発明に係る容器付き台紙の実施の形態の他の例を示す概略平面図である。
【図５】（ａ）（ｂ）（ｃ）は、本発明に係る容器付き台紙の更に他の例を示すものであり、（ａ）は平面図、（ｂ）は斜視図、（ｃ）は概略断面図である。
【図６】（ａ）（ｂ）は、フラップの性質を説明するためのいずれも概略図である。
【符号の説明】
１    本発明に係る容器付き台紙
２    容器
２１  フラップ
２２  フラップ
２３  フラップ
３    台紙本体
３１  スリット
３２  フラップ収納部
３３  切り欠き
４    透明粘着テープ
５    ステッカー
Ａ，Ｂ，Ｃ，Ｄ，Ｅ  フラップ
【図１】
2005001751.tif 000003
【図２】
2005001751.tif 000004
【図３】
2005001751.tif 000005
【図４】
2005001751.tif 000006
【図５】
2005001751.tif 000007
【図６】
2005001751.tif 000008